(57)【要約】【課題】デジタルスチルカメラで写真フィルムをデジタルデータ化する場合に、必要な領域の欠け及び不要なデータの取り込みを防止できるようにする。【解決手段】被写体像を結像させるためのズームレンズ２１１と、ズームレンズにより結像された被写体像を撮像する撮像素子２１２と、撮影対象である写真フィルムの画面のサイズと縦横比とを記憶する記憶部２１８と、記憶部に記憶された写真フィルムの画面のサイズと縦横比とに基づいて、ズームレンズのズーミング位置を制御するとともに、撮像素子の画面の縦横比を制御する制御回路２１８とを具備する。【選択図】      図３
2006180253.tif 000002
【特許請求の範囲】
【請求項１】
被写体像を結像させるためのズームレンズと、
該ズームレンズにより結像された被写体像を撮像する撮像素子と、
撮影対象である写真フィルムの画面のサイズと縦横比とを記憶する記憶手段と、
該記憶手段に記憶された前記写真フィルムの画面のサイズと縦横比とに基づいて、前記ズームレンズのズーミング位置を制御するとともに、前記撮像素子の画面の縦横比を制御する制御手段と、
を具備することを特徴とするデジタルスチルカメラ。
【請求項２】
前記制御手段は、前記撮像素子の画面に写されたところの、前記写真フィルムの画面の余白領域の信号を出力しないように前記撮像素子を制御することにより、前記撮像素子の画面の縦横比を変更することを特徴とする請求項１に記載のデジタルスチルカメラ。
【請求項３】
前記制御手段は、前記ズームレンズのズーミング位置が変更された場合に、前記撮像素子の画面の縦横比を変更することを特徴とする請求項１に記載のデジタルスチルカメラ。
【請求項４】
前記制御手段は、前記ズームレンズのズーミング位置が変更された場合に、前記撮像素子の画面の縦横比を変更するか否かをユーザーに選択させることを特徴とする請求項１に記載のデジタルスチルカメラ。
【請求項５】
前記記憶手段は、複数種類の写真フィルムの画面のサイズと縦横比とを記憶することを特徴とする請求項１に記載のデジタルスチルカメラ。
【請求項６】
被写体像を結像させるためのズームレンズと、該ズームレンズにより結像された被写体像を撮像する撮像素子とを備えるデジタルスチルカメラを制御する方法であって、
撮影対象である写真フィルムの画面のサイズと縦横比とを記憶する記憶工程と、
該記憶工程において記憶された前記写真フィルムの画面のサイズと縦横比とに基づいて、前記ズームレンズのズーミング位置を制御するとともに、前記撮像素子の画面の縦横比を制御する制御工程と、
を有することを特徴とするデジタルスチルカメラの制御方法。
【請求項７】
前記制御工程では、前記撮像素子の画面に写されたところの、前記写真フィルムの画面の余白領域の信号を出力しないように前記撮像素子を制御することにより、前記撮像素子の画面の縦横比を変更することを特徴とする請求項６に記載のデジタルスチルカメラの制御方法。
【請求項８】
前記制御工程では、前記ズームレンズのズーミング位置が変更された場合に、前記撮像素子の画面の縦横比を変更することを特徴とする請求項６に記載のデジタルスチルカメラの制御方法。
【請求項９】
前記制御工程では、前記ズームレンズのズーミング位置が変更された場合に、前記撮像素子の画面の縦横比を変更するか否かをユーザーに選択させることを特徴とする請求項６に記載のデジタルスチルカメラの制御方法。
【請求項１０】
前記記憶工程では、複数種類の写真フィルムの画面のサイズと縦横比とを記憶することを特徴とする請求項６に記載のデジタルスチルカメラの制御方法。
【請求項１１】
請求項６乃至１０のいずれか１項に記載の制御方法をコンピュータに実行させることを特徴とするプログラム。
【請求項１２】
請求項１１に記載のプログラムをコンピュータ読み取り可能に記憶したことを特徴とする記憶媒体。
【発明の詳細な説明】
【技術分野】
【０００１】
本発明は、デジタルスチルカメラによって写真フィルムを撮影しデジタルデータ化する技術に関するものである。
【背景技術】
【０００２】
近年、スキャナが普及したことによって、従来のネガあるいはポジの写真フィルムも画質劣化の少ない状態でデジタルデータとして保存できるようになってきている。スキャナによる写真フィルムのデジタル化は、一般には写真フィルムをラインセンサーで走査しながら逐次読み取り、ライン毎にデジタルデータ化している。しかしながら、この方法では、ラインセンサーの長手方向と直交する副走査方向にラインセンサーをスキャニングする必要が生じるため、写真フィルム全体をデジタル化するためには時間がかかるという問題がある。
【０００３】
これに対し、近年デジタルスチルカメラの高画質化・高画素化が進み、１０００万画素クラスのモデルも製品化されてきており、写真フィルムをデジタルカメラで撮影することにより、写真フィルムを画質劣化の少ない状態でデジタルデータ化することも可能になってきている。すなわち、デジタルカメラで写真フィルムをデジタルデータ化しても、必要十分な解像度が得られるようになってきている。
【０００４】
また、ネガ及びポジに対処する方法も容易で、ネガフィルムであればデジタルカメラで撮影した画像データに対して色を反転して適切に補正処理を行ない、また、ポジフィルムであればそのままデジタルデータ化するようにすればよい。
【０００５】
また、デジタルカメラで写真フィルムをデジタルデータ化すると、ズーム機能のあるデジタルスチルカメラであれば、特定の領域を切り取った（トリミング）状態でデジタルデータ化することも可能となり、利便性が向上するという利点もある。
【０００６】
デジタルスチルカメラはエリアセンサーであり、加えて、所定の画像フォーマットで保存まで行うのであるから、デジタルデータ化作業を高速かつ手軽に実行することが可能となる。
【特許文献１】特開２００１−１４５０１９号公報
【発明の開示】
【発明が解決しようとする課題】
【０００７】
しかしながら、一般的に普及しているデジタルスチルカメラの画面の縦横比（アスペクト比）は４：３であり、一般的な３５ｍｍ写真フィルムの画面の縦横比は３：２であるため、デジタルスチルカメラで写真フィルムを撮影する場合に、デジタルスチルカメラと写真フィルムの画面の縦横比が一致しないという問題がある。また、ＡＰＳフィルムでは、Ｃタイプ、Ｈタイプ、Ｐタイプの３つの縦横比が存在し、さらに、ブローニーフィルムなども含めると、さまざまな縦横比の写真フィルムが存在することになる。
【０００８】
縦横比が一致しないということは、デジタルスチルカメラで写真フィルムを撮影した場合に、フィルムの必要な領域の一部が撮影されない、あるいは不要な部分が撮影されてしまい、不要な部分もデジタルデータ化されてしまうという問題が生じることを意味する。特に、不要なデータが存在すると、例えばネガの自動補正処理を行うための解析データとしては不利になる。
【０００９】
従って、本発明は上述した課題に鑑みてなされたものであり、その目的は、デジタルスチルカメラで写真フィルムをデジタルデータ化する場合に、必要な領域の欠け及び不要なデータの取り込みを防止できるようにすることである。
【課題を解決するための手段】
【００１０】
上述した課題を解決し、目的を達成するために、本発明に係わるデジタルスチルカメラは、被写体像を結像させるためのズームレンズと、該ズームレンズにより結像された被写体像を撮像する撮像素子と、撮影対象である写真フィルムの画面のサイズと縦横比とを記憶する記憶手段と、該記憶手段に記憶された前記写真フィルムの画面のサイズと縦横比とに基づいて、前記ズームレンズのズーミング位置を制御するとともに、前記撮像素子の画面の縦横比を制御する制御手段と、を具備することを特徴とする。
【００１１】
また、この発明に係わるデジタルスチルカメラにおいて、前記制御手段は、前記撮像素子の画面に写されたところの、前記写真フィルムの画面の余白領域の信号を出力しないように前記撮像素子を制御することにより、前記撮像素子の画面の縦横比を変更することを特徴とする。
【００１２】
また、この発明に係わるデジタルスチルカメラにおいて、前記制御手段は、前記ズームレンズのズーミング位置が変更された場合に、前記撮像素子の画面の縦横比を変更することを特徴とする。
【００１３】
また、この発明に係わるデジタルスチルカメラにおいて、前記制御手段は、前記ズームレンズのズーミング位置が変更された場合に、前記撮像素子の画面の縦横比を変更するか否かをユーザーに選択させることを特徴とする。
【００１４】
また、この発明に係わるデジタルスチルカメラにおいて、前記記憶手段は、複数種類の写真フィルムの画面のサイズと縦横比とを記憶することを特徴とする。
【００１５】
また、本発明に係わるデジタルスチルカメラの制御方法は、被写体像を結像させるためのズームレンズと、該ズームレンズにより結像された被写体像を撮像する撮像素子とを備えるデジタルスチルカメラを制御する方法であって、撮影対象である写真フィルムの画面のサイズと縦横比とを記憶する記憶工程と、該記憶工程において記憶された前記写真フィルムの画面のサイズと縦横比とに基づいて、前記ズームレンズのズーミング位置を制御するとともに、前記撮像素子の画面の縦横比を制御する制御工程と、を有することを特徴とする。
【００１６】
また、この発明に係わるデジタルスチルカメラの制御方法において、前記制御工程では、前記撮像素子の画面に写されたところの、前記写真フィルムの画面の余白領域の信号を出力しないように前記撮像素子を制御することにより、前記撮像素子の画面の縦横比を変更することを特徴とする。
【００１７】
また、この発明に係わるデジタルスチルカメラの制御方法において、前記制御工程では、前記ズームレンズのズーミング位置が変更された場合に、前記撮像素子の画面の縦横比を変更することを特徴とする。
【００１８】
また、この発明に係わるデジタルスチルカメラの制御方法において、前記制御工程では、前記ズームレンズのズーミング位置が変更された場合に、前記撮像素子の画面の縦横比を変更するか否かをユーザーに選択させることを特徴とする。
【００１９】
また、この発明に係わるデジタルスチルカメラの制御方法において、前記記憶工程では、複数種類の写真フィルムの画面のサイズと縦横比とを記憶することを特徴とする。
【００２０】
また、本発明に係わるプログラムは、上記の制御方法をコンピュータに実行させることを特徴とする。
【００２１】
また、本発明に係わる記憶媒体は、上記のプログラムをコンピュータ読み取り可能に記憶したことを特徴とする。
【発明の効果】
【００２２】
本発明によれば、デジタルスチルカメラで写真フィルムをデジタルデータ化する場合に、必要な領域の欠け及び不要なデータの取り込みを防止することが可能となる。
【発明を実施するための最良の形態】
【００２３】
以下、本発明の好適な実施形態について、図面を参照して詳細に説明する。
【００２４】
（第１の実施形態）
図１は本発明の第１の実施形態に係わるデジタルスチルカメラを用いた写真フィルム撮影システムの上面図である。
【００２５】
図１は、デジタルスチルカメラ１０１を利用して、フィルムフォルダ１０４にセットされた写真フィルム１０５をシャッターボタン１０３によって撮影してデジタルデータ化することを示している。１０２は電源スイッチである。フィルムフォルダ１０４には、写真フィルム１０５の１コマ分を透過する開口１０６が形成されており、フィルムフォルダ１０４を挟んでデジタルスチルカメラ１０１に対向する位置に光源１０７が配置されている。光源１０７からの光によって写真フィルム１０５を照明し、その像をデジタルスチルカメラ１０１で撮影し、写真フィルム１０５上の画像をデジタルデータとして取得する。なお、デジタルスチルカメラ１０１とフィルムフォルダ１０４は、支持枠１０８により固定されて相対位置が決められており、写真フィルムの画面サイズに応じた最適画角が得られる撮影レンズ２１１（図３参照）のズーミング位置は一義的に決められている。
【００２６】
ここで、一般的な３：２の縦横比の画面をもつ３５ｍｍ写真フィルムと、一般的な４：３の縦横比の画面を持つデジタルスチルカメラを用いる場合を例に挙げて説明する。
【００２７】
この組合せにおいて、ズーミングによっては、図２の（ａ）のようにデジタルスチルカメラ１０１の画面の上下の両端に余白部分２０２ａ，２０２ｂが撮影されたり、図２の（ｂ）のように写真フィルムの画面２０１の両端部が切り取られたりすることになる。図中、矩形のハッチングされた領域２０１が写真フィルムの画面（縦横比３：２）であり、破線で描画された矩形領域２０２がデジタルスチルカメラの画面（縦横比４：３）である。
【００２８】
次に、図３は、本実施形態で用いられるデジタルスチルカメラ１０１の概略構成を示すブロック図である。
【００２９】
図３において、２１１は被写体像を撮像素子２１２上に結像させるための撮影レンズであり、ズームレンズから構成されている。２１２は撮影レンズ２１１により結像された被写体像を光電変換するＣＣＤなどの撮像素子、２１３は撮像素子２１２から出力される画像信号をデジタルデータに変換するＡ／Ｄ変換器、２１４はデジタル化された画像データに必要な画像処理を施す画像処理回路、２１５は画像処理された画像データを記憶するコンパクトフラッシュ（登録商標）メモリーなどの着脱可能な記憶媒体、２１６は撮像素子を駆動するための撮像素子駆動部、２１７は撮影レンズ２１１内のフォーカスレンズを駆動して焦点調節を行なったり、ズームレンズを駆動してズーミングを行なったりするためのレンズ駆動部、２１８はデジタルスチルカメラ１０１の全体動作を制御するシステム制御回路である。
【００３０】
次に、図４は、図１に示す写真フィルム撮影システムにおける写真フィルムの撮影動作を示すフローチャートである。
【００３１】
まず、ユーザーは、デジタルスチルカメラ１０１の「フィルム撮影モード」を選択する（ステップＳ３０１）。このときユーザは撮影しようとする写真フィルム１０５のサイズ情報（ここでは３５ｍｍフィルム）と縦横比（３：２）の情報をデジタルスチルカメラ１０１に入力する。すると、デジタルスチルカメラ１０１のシステム制御回路２１８は、写真フィルム１０５のサイズと縦横比を記憶する（ステップＳ３０２）。また、ユーザは、デジタルスチルカメラ１０５のズーミング操作部を操作して、レンズ駆動部２１７を駆動し、写真フィルムの画面２０１とデジタルスチルカメラの画面２０２が図２（ａ）の関係になるように撮影レンズ２１１のズーミングを行なう。このとき、前述したようにデジタルスチルカメラ１０１とフィルムフォルダ１０４は互いに相対位置が決められているため、写真フィルムとデジタルスチルカメラの画面が図２（ａ）のような関係になるズーミング位置は一義的に定まる。そして、システム制御回路２１８は、このズーミング位置を３５ｍｍフィルムを撮影する場合のプリセット値（初期設定値）として記憶する（ステップＳ３０３）。そして、デジタルスチルカメラ１０１において、後に再度「フィルム撮影モード」が選択された場合には、システム制御回路２１８は、撮影レンズ２１１のズーミング位置を自動的にこのプリセット値に調節する。
【００３２】
なお、写真フィルムの画面２０１とデジタルスチルカメラの画面２０２の関係を図２（ａ）のような関係に設定すると、デジタルスチルカメラ１０１には、写真フィルムの画面２０１の余白部分が２０２ａ，２０２ｂとして写り込んでしまう。そのため、システム制御回路２１８は、この余白部分２０２ａ，２０２ｂに対応する撮像素子２０２の画素部分を読み飛ばすように撮像素子駆動部２１６を制御する。これにより、写真フィルムの画面２０１の有効部分のみがデジタルスチルカメラ１０１にデータとして取り込まれることとなる。
【００３３】
このように、デジタルスチルカメラ１０１の「フィルム撮影モード」で写真フィルムをデジタルデータ化するときには、デジタルスチルカメラ１０１に所定のズーム倍率および縦横比が記憶されて次のフィルム撮影時には自動的に画角および縦横比が設定されるため、フィルム画像のデジタル化作業が容易になる。
【００３４】
次に、本実施形態のもうひとつの特徴について説明する。
【００３５】
すなわち、プリセット倍率（ズーミング位置）に対して変更を加えたときに、縦横比を自動的に切り替える機能を有することである。ズーム倍率を変更するということは、ユーザーが何らかの意図を持ってトリミング、つまりは特定の領域をデジタルデータ化したいということが考えられる。
【００３６】
このときは、カメラの性能をフルに発揮できる縦横比で撮影しておいた方が好ましい場合がある。つまり、この場合のデジタルデータとしては縦横比が４：３の状態で保存するということである。すなわち、ユーザーがズーム倍率を変更したときに、初期設定の３：２の縦横比から自動的に４：３の縦横比に切り替える、また記憶されたズーミング倍率に戻ったときは所定の３：２の縦横比に切り替える。これによって、デジタルスチルカメラの縦横比をいちいち変更する煩わしさがなくなり、ユーザーのトリミングの意図を即座に反映して縦横比を変更することが可能となる。
【００３７】
（第２の実施形態）
上記の第１の実施形態では、ユーザーのズーム倍率の変更に応じて、自動的に縦横比を変更する場合について説明したが、この第２の実施形態では、さらに、縦横比の変更を確認するためのステップを設けている。
【００３８】
これは、ユーザーの縦横比を変えずにトリミングする意図を反映するためのステップである。すなわち、ズーム倍率を上げることによって、特定の場所を、同じ写真フィルムの縦横比でデジタルデータ化したい場合には、縦横比が変更されることは望ましくない。
【００３９】
そこで、すでに「フィルム撮影モード」が設定された状態で、写真フィルムをデジタルデータ化するときの手順を図４を参照して説明する。
【００４０】
まず、今までの説明のように、ユーザーは所定の「フィルム撮影モード」を選択する（ステップＳ４０１）。このとき、ズーム倍率と縦横比はプリセット値（初期値）に設定される。ユーザーが特定の領域にズーミングしてデジタルデータ化したくなったとき、ズーム倍率を変更する（ステップＳ４０２）。このとき、同じ縦横比のままデジタルデータ化したいのか、あるいはデジタルスチルカメラの性能をフルに使った縦横比で撮影したいのかを選択することができる（ステップＳ４０３）。ここで、縦横比の変更が要求されたときに限り所定の縦横比に変更する（ステップＳ４０４）。
【００４１】
これによって、あとからフォトレタッチソフトなどを利用して画像編集を行わないユーザーが、写真フィルムを同一の縦横比で、コマごとに好みの領域をデジタルデータ化することが可能となる。
【００４２】
（第３の実施形態）
以上、一般的な３：２の縦横比の３５ｍｍ写真フィルムを例にとって説明したが、例えば前述したＡＰＳフィルムの各撮影タイプに特化したモードを考えるときにも、本発明の方法を適用できることは言うまでもない。
【００４３】
このとき、デジタルスチルカメラに複数の「フィルム撮影モード」と、複数の縦横比の画像生成モードを持たせることにより、さまざまな写真フィルムと所望の縦横比をプリセット値として記憶することができる。
【００４４】
これによって、ＡＰＳフィルムのように複数の縦横比があるような場合でも、縦横比のタイプ（Ｃ，Ｈ，Ｐ）ごとに「フィルム撮影モード」を設定することができる。例えば、ＡＰＳフィルムのＨタイプをデジタルデータ化するときのプリセット値を「ＡＰＳフィルムＨタイプモード」として記憶して、このときの縦横比は１６：９にしておけばよい。
【００４５】
加えて、図４のステップＳ４０３において、複数の縦横比のなかから所望の縦横比を選択できるようにすることもできる。すなわち、ズーム倍率の変更時に複数の縦横比の中から所望の縦横比を選択できることによって、縦横比変更の手間が著しく省略できることとなる。
【００４６】
以上説明したように、上記の実施形態によれば、従来の写真フィルムのデジタル化作業を飛躍的に効率化することができる。特に写真フィルムの種類に応じた複数のプリセット値を記憶しておけば、それぞれ最適な縦横比で不要なデータを省いた状態で容易にデジタルデータ化することが可能となる。これは、例えば、ネガフィルムを補正するときの自動解析にとっても優位なデータが生成できることになる。
【００４７】
また、その作業中に所定のズーム倍率を変更したときには、マニュアルのトリミングモードと見なし、デジタルスチルカメラの性能をフルに利用した縦横比でデジタルデータ化することが可能となり、後からのフォトレタッチなどの加工処理にとっても優位な状態でデジタルデータ化することが可能となる。
【００４８】
さらに、ズーム倍率変更時に、縦横比変更を確認するステップを設けることによって、縦横比を変更したくないユーザーは、同一の縦横比でデジタルデータ化の作業を続けることも可能となる。
【００４９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５１】
本発明を上記記憶媒体に適用する場合、その記憶媒体には、先に説明した手順に対応するプログラムコードが格納されることになる。
【図面の簡単な説明】
【００５２】
【図１】本発明の第１の実施形態に係わるデジタルスチルカメラを用いた写真フィルム撮影システムの上面図である。
【図２】写真フィルムとデジタルスチルカメラの画面の縦横比を示す図である。
【図３】第１の実施形態で用いられるデジタルスチルカメラの概略構成を示すブロック図である。
【図４】第１の実施形態の写真フィルム撮影システムにおける写真フィルムの撮影動作を示すフローチャートである。
【図５】第２の実施形態の写真フィルム撮影システムにおける写真フィルムの撮影動作を示すフローチャートである。
【符号の説明】
【００５３】
１０１  デジタルスチルカメラ
１０２  の電源スイッチ
１０３  シャッターボタン
１０４  フィルムフォルダ
１０５  写真フィルム
１０６  開口
１０７  光源
２０１  写真フィルムの画面
２０２  デジタルスチルカメラの画面
【図１】
2006180253.tif 000003
【図２】
2006180253.tif 000004
【図３】
2006180253.tif 000005
【図４】
2006180253.tif 000006
【図５】
2006180253.tif 000007